(57)【特許請求の範囲】
【請求項１】
テレビジョン信号又はＦＭ放送信号をテレビジョンの中間周波数帯の信号に周波数変換する混合器と、前記中間周波数帯の信号を増幅する中間周波増幅回路とを備え、前記混合回路と前記中間周波増幅回路との間には前記テレビジョン信号の受信時に前記中間周波数帯における色副搬送波周波数と映像中間周波数との間に同調すると共に前記ＦＭ放送信号の受信時にほぼ前記色副搬送波周波数に同調する中間周波同調回路と、隣接するチャンネルの音声中間周波数を減衰する第一のトラップ回路とを設け、前記中間周波増幅回路の次段には前記テレビジョン信号の受信時に前記中間周波数帯における映像中間周波数と前記隣接するチャンネルの音声中間周波数との間を減衰し、前記ＦＭ放送信号の受信時にほぼ前記映像中間周波数を減衰する第二のトラップ回路を設けたことを特徴とするテレビジョンチューナの中間周波回路。
【請求項２】
前記中間周波同調回路と前記中間周波増幅回路とを前記テレビジョン信号の受信時には密結合とし、前記ＦＭ放送信号の受信時には粗結合としたことを特徴とする請求項１に記載のテレビジョンチューナの中間周波回路。
【請求項３】
前記中間周波同調回路と前記中間周波増幅回路との間を結合するための第一のスイッチダイオードを設け、前記テレビジョン信号の受信時には前記第一のスイッチダイオードをオンとし、前記ＦＭ放送信号の受信時には前記第一のスイッチダイオードをオフとしたことを特徴とする請求項２に記載のテレビジョンチューナの中間周波回路。
【請求項４】
前記中間周波増幅回路は負帰還増幅回路で構成され、前記テレビジョン信号の受信時には負帰還量を大きくし、前記ＦＭ放送信号の受信時には前記負帰還良を少なくしたことを特徴とする請求項１乃至３のいずれかに記載のテレビジョンチューナの中間周波回路。
【請求項５】
前記中間周波増幅回路は平衡入力端と平衡出力端とを有する平衡型増幅回路で構成され、前記平衡入力端と前記平衡出力端との間にそれぞれ帰還抵抗が接続され、前記平衡出力端の一方に前記第二のトラップ回路を接続し、前記平衡出力端の他方を第二のスイッチダイオードと容量素子との直列回路で終端し、前記テレビジョン信号の受信時には前記第二のスイッチダイオードをオフとし、前記ＦＭ放送信号の受信時には前記第二のスイッチダイオードをオンとしたことを特徴とする請求項４に記載のテレビジョンチューナの中間周波回路。
【請求項６】
前記第二のトラップ回路は少なくともインダクタンス素子と複数の容量素子と前記容量素子の一つに並列接続された第三のスイッチダイオードとを有し、前記テレビジョン信号の受信時には前記第三のスイッチダイオードをオフとし、前記ＦＭ放送信号の受信時には前記第三のスイッチダイオードをオンとしたことを特徴とする請求項５に記載のテレビジョンチューナの中間周波回路。
【発明の詳細な説明】
【０００１】
【発明の属する技術分野】
この発明は、テレビジョン信号又はＦＭ放送信号を受信可能なテレビジョン受信機に関する。
【０００２】
【従来の技術】
従来のテレビジョン受信機の構成を図５に示す。混合器３１は集積回路３０内に構成され、集積回路３０外には同調回路、増幅器等（図示せず）が設けられる。この同調回路によって選択されたテレビジョン信号又はＦＭ放送信号が混合器３１に入力される。混合器３１は集積回路３０内に設けられた局部発振器（図示せず）から入力される局部発振信号によってテレビジョン信号をテレビジョンの中間周波数帯（日本チャンネル仕様では５４ＭＨｚ〜６０ＭＨｚの帯域）に周波数変換し、また、ＦＭ放送信号を中間周波数帯における色副搬送波周波数（Ｃ）に周波数変換する。そして、周波数変換されたテレビジョン信号又はＦＭ放送信号は集積回路３０の平衡出力端子３０ａ、３０ｂから平衡出力され、平衡型の中間周波同調回路３２に入力される。
【０００３】
中間周波同調回路３２は第一乃至第三の並列同調回路３３、３４、３５によって構成されており、第二の同調回路３４及び第三の同調回路３５はそれぞれ第一、第二のスイッチダイオード３６、３７によって第一の同調回路３３に並列に接続可能となっている。混合回路３１には第一の同調回路３３のインダクタンス素子３３ａ、３３ｂを介して電源電圧Ｂが供給される。第一及び第二のスイッチダイオード３６、３７のアノードにもインダクタンス素子３３ａ、３３ｂを介して電源電圧Ｂが印加される。テレビジョン信号の受信時には第一及び第二のスイッチダイオード３６、３７がオフとなって中間周波同調回路３２は第一の同調回路３３のみとなって中間周波数帯における映像中間周波数（Ｐ）と色副搬送波周波数（Ｃ）との間に同調する。
また、ＦＭ放送信号の受信時には第一及び第二のスイッチダイオード３６、３７がオンとなる。そして第一の同調回路３３に第二及び第三の同調回路３４、３５が並列に接続されることで同調回路のＱが高くなると共に、色副搬送波周波数（Ｃ）の近傍に同調する。
【０００４】
中間周波同調回路３２の次段に設けられた平衡入力／不平衡出力型の中間周波増幅回路３８は集積回路３０内に構成される。集積回路３０の平衡入力端子３０ｃ、３０ｄには中間周波同調回路３２と中間周波増幅回路２８の入力端が接続される。中間周波増幅回路３８の不平衡出力端は集積回路３０の不平衡出力端子３０ｅに接続される。この不平衡出力端子３０ｅには中間周波増幅回路３８から電圧が供給され、トラップ回路３９が接続される。トラップ回路３９は、先ず不平衡出力端子３０ｅから中間周波出力端４０に向かって順に直列に接続された第一の容量素子３９ａ、第一のインダクタンス素子３９ｂ、第二の容量素子３９ｃを有する。第一の容量素子３９ａには第三のスイッチダイオード３９ｄが並列に接続される。また、不平衡出力端子３０ｅとＩＦ出力端４０との間には第三の容量素子３９ｅが接続される。更に、第一の容量素子３９ａと第一のインダクタンス素子３９ｂとの接続点からバラクタダイオード３９ｆと第二のインダクタンス素子３９ｇとの直列回路がグランドに接続される。
【０００５】
そして、第三のスイッチダイオード３９ｄのカソードとバラクタダイオード３９ｆのカソードが第一のインダクタンス素子３９ｂと抵抗３９ｈとを直列に介してスイッチトランジスタ４１のコレクタに接続される。コレクタにはプルアップ抵抗４２によって電源電圧が印加される。スイッチトランジスタ４１も集積回路３０内に構成されている。バラクタダイオード３９ｆのアノードは抵抗３９ｉ、３９ｊによってバイアスされる。第一及び第二のスイッチダイオード３６、３７の各カソードもスイッチトランジスタ４１のコレクタに接続される。
【０００６】
以上の構成において、テレビジョン信号を受信するときはスイッチトランジスタ４１がオフとなる。すると、第一及び第二のスイッチダイオード３６、３７はオフとなって、中間周波同調回路３２の動作は前述したとおりとなる。また、第三のスイッチダイオード３９ｆがオフとなる。よって、互いに直列接続された第一の容量素子３９ａ、第一のインダクタンス素子３９ｂ、第二の容量素子３９ｃと、これら全体に対して並列接続された第三の容量素子３９ｅとによって並列共振回路が構成され、その共振周波数は隣接チャンネルの映像中間周波数（−Ｐ）となる。  また、バラクタダイオード３９ｆのカソードには電源電圧が印加されることによって、バラクタダイオード３９ｆと第二のインダクタンス沿い３９ｇとの直列共振周波数が隣接チャンネルの音声中間周波数（−Ｓ）となる。
従って、中間周波同調回路３２とトラップ回路３９とによる全体の伝送特性は図６のＡに示すように、隣接チャンネルの映像中間周波数（−Ｐ）と音声中間周波数（−Ｓ）とにおいて減衰する特性となる。
【０００７】
一方、ＦＭ放送信号を受信するときはスイッチトランジスタ４１がオンとなる。すると、第一及び第二のスイッチダイオード３６、３７もオンとなって、中間周波同調回路３２の動作は前述したとおりとなる。ただし、同調回路のＱが大きくなるのでその同調特性が急峻になると共に、損失が増加してレベルも低下する。また、第三のスイッチダイオード３９ｆがオンとなる。よって、互いに直列接続された第一のインダクタンス素子３９ｂ、第二の容量素子３９ｃと、これら全体に対して並列接続された第三の容量素子３９ｅとによって並列共振回路が構成され、その共振周波数は低い方に移動して映像中間周波数（Ｐ）となる。  また、バラクタダイオード３９ｆのカソードの電圧が低下して、バラクタダイオード３９ｆと第二のインダクタンス沿い３９ｇとの直列共振周波数が映像中間周波数と色副搬送波周波数とのほぼ中間の周波数（（Ｃ＋Ｐ）／２）となる。
従って、中間周波同調回路３２とトラップ回路３９とによる全体の伝送特性は図６のＢに示すように、映像中間周波数と色副搬送波周波数とのほぼ中間の周波数（（Ｃ＋Ｐ）／２）と映像中間周波数（Ｐ）とにおいて減衰する特性となる。ただし、テレビジョン信号の受信時に比べると同調点である色副搬送波周波数（Ｃ）でのレベルが低くなる。
【０００８】
【発明が解決しようとする課題】
以上説明した従来のテレビジョンチューナの中間周波回路は、中間周波同調回路に三つの同調回路を用い、また、トラップ回路で二つのトラップ周波数を作っていた。そのため、集積回路外に使用する部品点数が増加してコストアップとなり、又小型化する上での障害となっていた。
そこで本発明においては、集積回路外に構成する中間周波同調回路やトラップ回路の構成を簡素化し、使用する部品点数の削減によって中間周波回路のコスト低減と小型化を図ることを目的とする。
【０００９】
【課題を解決するための手段】
そこで、本発明は、テレビジョン信号又はＦＭ放送信号をテレビジョンの中間周波数帯の信号に周波数変換する混合器と、前記中間周波数帯の信号を増幅する中間周波増幅回路とを備え、前記混合回路と前記中間周波増幅回路との間には前記テレビジョン信号の受信時に前記中間周波数帯における色副搬送波周波数と映像中間周波数との間に同調すると共に前記ＦＭ放送信号の受信時にほぼ前記色副搬送波周波数に同調する中間周波同調回路と、隣接するチャンネルの音声中間周波数を減衰する第一のトラップ回路とを設け、前記中間周波増幅回路の次段には前記テレビジョン信号の受信時に前記中間周波数帯における映像中間周波数と前記隣接するチャンネルの音声中間周波数との間を減衰し、前記ＦＭ放送信号の受信時にほぼ前記映像中間周波数を減衰する第二のトラップ回路を設けた。
【００１０】
また、前記中間周波同調回路と前記中間周波増幅回路とを前記テレビジョン信号の受信時には密結合とし、前記ＦＭ放送信号の受信時には粗結合とした。
【００１１】
また、前記中間周波同調回路と前記中間周波増幅回路との間を結合するための第一のスイッチダイオードを設け、前記テレビジョン信号の受信時には前記第一のスイッチダイオードをオンとし、前記ＦＭ放送信号の受信時には前記第一のスイッチダイオードをオフとした。
【００１２】
また、前記中間周波増幅回路は負帰還増幅回路で構成され、前記テレビジョン信号の受信時には負帰還量を大きくし、前記ＦＭ放送信号の受信時には前記負帰還良を少なくした。
【００１３】
また、前記中間周波増幅回路は平衡入力端と平衡出力端とを有する平衡型増幅回路で構成され、前記平衡入力端と前記平衡出力端との間にそれぞれ帰還抵抗が接続され、前記平衡出力端の一方に前記第二のトラップ回路を接続し、前記平衡出力端の他方を第二のスイッチダイオードと容量素子との直列回路で終端し、前記テレビジョン信号の受信時には前記第二のスイッチダイオードをオフとし、前記ＦＭ放送信号の受信時には前記第二のスイッチダイオードをオンとした。
【００１４】
また、前記第二のトラップ回路は少なくともインダクタンス素子と複数の容量素子と前記容量素子の一つに並列接続された第三のスイッチダイオードとを有し、前記テレビジョン信号の受信時には前記第三のスイッチダイオードをオフとし、前記ＦＭ放送信号の受信時には前記第三のスイッチダイオードをオンとした。
【００１５】
【発明の実施の形態】
以下、本発明のテレビジョンチューナの中間周波回路（単に中間周波回路という）を図面に従って説明する。図１は本発明の中間周波回路の構成、図２はテレビジョン信号受信時の等価回路、図３は伝送特性、図４はＦＭ放送信号受信時の等価回路を示す。
【００１６】
先ず、図１において、混合器１１は集積回路１０内に構成され、集積回路１０外には同調回路、増幅器等（図示せず）が設けられる。この同調回路によって選択されたテレビジョン信号又はＦＭ放送信号が混合器１１に入力される。混合器１１は集積回路３０内に設けられた局部発振器（図示せず）から入力される局部発振信号によってテレビジョン信号をテレビジョンの中間周波数帯（日本チャンネル仕様では５４ＭＨｚ〜６０ＭＨｚの帯域）に周波数変換し、また、ＦＭ放送信号を中間周波数帯における色副搬送波周波数（Ｃ）に周波数変換する。そして、周波数変換されたテレビジョン信号又はＦＭ放送信号は集積回路１０の平衡出力端子１０ａ、１０ｂから出力され、集積回路１０外に設けられた平衡型の中間周波同調回路１２に入力される。
【００１７】
中間周波同調回路１２は平衡出力端子１０ａ、１０ｂ間に直列接続され、混合回路１１への給電を兼ねる同調用の二つのインダクタンス素子１２ａ、１２ｂとこれらに並列接続された第一のバラクタダイオード１２ｃと有する。二つのインダクタンス素子１２ａ、１２ｂの接続点には５ボルトの電源電圧Ｂが印加される。第一のバラクタダイオード１２ｃのカソードにもインダクタンス素子１２ａを介して電源電圧Ｂが印加される。集積回路１０には平衡入力端子１０ｃ、１０ｄが設けられ、一方の平衡出力端子１０ａと一方の平衡入力端子１０ｃとが集積回路１０外の第一のトラップ回路１３によって接続される。第一のトラップ回路１３は並列共振回路で構成され、その共振周波数は隣接チャンネルの音声中間周波数（−Ｓ）にほぼ等しい。また他方の平衡出力端子１０ｂと他方の平衡入力端子１０ｄとが集積回路１０内に構成された結合用の第二の容量素子１４によって接続される。また、第一のバラクタダイオード１２ｃのアノードは他方の平衡入力端子１０ｄに直流的に接続されるが高周波的には絶縁される。
【００１８】
集積回路１０内には平衡型の中間周波増幅回路１５が構成される。中間周波増幅回路１５は初段の増幅用のトランジスタ１５ａ、１５ｂと終段の増幅用のトランジスタ１５ｃ、１５ｄを有する。初段のトランジスタ１５ａ、１５ｂのベースが平衡入力端となり、終段のトランジスタ１５ｃ、１５ｄのコレクタが平衡出力端となる。一方の平衡入力端子１０ｃと初段の一方のトランジスタ１５ａのベースとの間、および他方の平衡入力端子１０ｄと他方のトランジスタ１５ｂのベースとの間にはそれぞれ第一のスイッチダイオード１６、１７が設けられ、一方の第一のスイッチダイオード１６のアノードは一方のトランジスタ１５ａのベースに接続され、カソードは結合用の第一の容量素子１８を介して一方の平衡入力端子１０ｃに接続される。他方の第一のスイッチダイオード１７のアノードは他方のトランジスタ１５ｂのベースに接続され、カソードは他方の平衡入力端子１０ｄに接続される。
【００１９】
初段の一方のトランジスタ１５ａのベースと終段の一方のトランジスタ１５ｃのコレクタとの間には帰還抵抗１５ｅが接続され、同様に、初段の他方のトランジスタ１５ｂのベースと終段の他方のトランジスタ１５ｄのコレクタとの間には帰還抵抗１５ｆが接続される。また、終段の一方のトランジスタ１５ｃのコレクタは集積回路１０の不平衡出力端子１０ｅに接続される。更に、終段のトランジスタ１５ｃ、１５ｄのコレクタはそれぞれ給電抵抗１５ｇ、１５ｈによって集積回路１０の電源端子１０ｆに接続される。電源端子１０ｆには電源電圧Ｂが供給される。そして、他方のトランジスタ１５ｄのコレクタには第二のスイッチダイオード１９のアノードが接続され、カソードは終端用の第三の容量素子２０によって接地される。従って、中間周波増幅回路１５は平衡入力型／不平衡出力型で動作する。
【００２０】
不平衡出力端子１０ｅには第二のトラップ回路２１の一端が接続され、その他端は中間周波出力端子２２に接続される。第二のトラップ回路２１は不平衡出力端子１０ｅと中間周波出力端子２２との間に順に直列に接続された第四の容量素子２１ａ、インダクタンス素子２１ｂ、第五の容量素子２１ｃと、第四の容量素子２１ａに並列に接続された第三のスイッチダイオード２１ｄと、不平衡出力端子１０ｅと中間周波出力端子２２との間に接続された第六の容量素子２１ｅとを有している。また、インダクタンス素子２１ｂと第五の容量素子２１ｃとの接続点に第二のバラクタダイオード２１ｆのカソードが接続され、アノードが接地される。
【００２１】
集積回路１０内にはエミッタが接地された二つのスイッチトランジスタ２３、２４が構成される。各コレクタはそれぞれのプルアップ抵抗２５、２６によって電源端子１０ｆに接続される。第一のスイッチトランジスタ２３のベースは集積回路１０の切替端子１０ｇに接続され、コレクタは第二のスイッチトランジスタ２４のベースに接続されると共に、集積回路１０内で抵抗２７を介して第二のスイッチダイオード１９のカソードに接続される。また、コレクタは集積回路１０の中継端子１０ｈにも接続され、中継端子１０ｈと第二のトラップ回路２１における第三のスイッチダイオード２１ｄのカソードが抵抗２８によって接続される。
【００２２】
さらに、第二のスイッチトランジスタ２４のコレクタはそれぞれ抵抗２９、３０によって第一のスイッチダイオード１６、１７のカソードに接続されると共に、抵抗３１によって接地される。
【００２３】
以上の構成において、テレビジョン信号を受信するときは切替端子１０ｇにローレベルの切替電圧を印加して第一のスイッチトランジスタ２３をオフにする。すると、第二のスイッチトランジスタ２４がオンとなる。この結果、先ず中間周波同調回路１２は、第一のバラクタダイオー１２ｃのアノードの電圧がほぼ０．９ボルトとなるので、この時の第一のバラクタダイオード１２ｃの容量値によって色副搬送波周波数（Ｃ）と映像中間周波数（Ｐ）との間に同調する。次に、第一のスイッチダイオード１６、１７がオンとなって中間周波増幅回路１５が中間周波同調回路１５に密結合する。この結果、中間周波増幅回路１５の入力インピーダンスが中間周波同調回路１５に付加される。この状態での同調の負荷Ｑをテレビジョン信号受信時の中間周波同調特性に合わせる。
【００２４】
また、第二のスイッチダイオード１９がオフとなるので第三の容量素子２０が他方のトランジスタ１５ｄのコレクタから切り放され、中間周波増幅回路１５の負帰還量が大きくなってそのときの利得が適度に制限される。また、第三のスイッチダイオード２１ｄもオフとなることから、第四の容量素子２１ａ、インダクタンス素子２１ｂ、第五の容量素子２１ｃ、第六の容量素子２１ｅとによって並列共振回路が構成される。この時の共振周波数を映像中間周波数（Ｐ）と隣接チャンネルの音声中間周波数（−Ｓ）とのほぼ中間となるように設定する。この設定には第二のバラクタダイオード２１ｆの容量値も加味される。
【００２５】
よって、混合回路１１から第二のトラップ回路２１までの等価回路は図２に示すようになる。また、中間周波同調回路１２、第一のトラップ回路１３、第二のトラップ回路２１を合わせた全体の伝送特性は図３のＡに示すように映像中間周波数（Ｐ）と隣接チャンネルの音声中間周波数（−Ｓ）とのほぼ中間の周波数（Ｐ＋（−Ｓ））／２で減衰し、また隣接チャンネルの音声中間周波数（−Ｓ）でも減衰する特性となる。
【００２６】
一方、ＦＭ放送信号の受信時では切替端子１０ｇにハイレベルの切替電圧を印加して第一のスイッチトランジスタ２３をオンにする。すると、第二のスイッチトランジスタ２４がオフとなる。この結果、先ず中間周波同調回路１２は第一のバラクタダイオー１２ｃのカソードの電圧がほぼ３．２ボルトとなって容量値が増え、この時の第一のバラクタダイオード１２ｃの容量値によって色副搬送波近傍に同調する。次に、第一のスイッチダイオード１６、１７はオフとなって極めて小さな容量値を呈し、中間周波増幅回路１２が中間周波同調回路１５に粗結合する。この結果、中間周波同調回路は１２は中間周波増幅回路１５の入力インピーダンスの影響をあまり受けず同調のＱが高くなる。
【００２７】
また、第二のスイッチダイオード１９がオンとなるので他方のトランジスタ１５ｄのコレクタが第三の容量素子２０によって終端され、中間周波増幅回路１５の負帰還量が小さくなって利得が大きくなる。また、第三のスイッチダイオード２１ｄもオンとなることから、インダクタンス素子２１ｂ、第五の容量素子２１ｃ、第六の容量素子２１ｅとによって並列共振回路が構成される。この時の共振周波数はテレビジョン信号受信時よりも低くなり、ほぼ映像中間周波数（Ｐ）となる。この共振周波数の設定には第二のバラクタダイオード２１ｆの容量値も加味される。
【００２８】
よって、混合回路１１から第二のトラップ回路２１までの等価回路は図４に示すようになる。また、中間周波同調回路１２、第一のトラップ回路１３、第二のトラップ回路２１を合わせた全体の伝送特性は図３のＢに示すように映像中間周波数（Ｐ）と隣接チャンネルの音声中間周波数（−Ｓ）との二カ所で減衰する特性となる。また、負帰還量が小さくなることから色副搬送波周波数（Ｃ）のレベルが高くなってテレビジョン信号受信のピークレベルとほぼ等しくなる。
【００２９】
【発明の効果】
以上説明したように、混合回路と中間周波増幅回路との間にはテレビジョン信号の受信時に中間周波数帯における色副搬送波周波数と映像中間周波数との間に同調すると共にＦＭ放送信号の受信時にほぼ色副搬送波周波数に同調する中間周波同調回路と、隣接するチャンネルの音声中間周波数を減衰する第一のトラップ回路とを設け、中間周波増幅回路の次段にはテレビジョン信号の受信時に中間周波数帯における映像中間周波数と隣接するチャンネルの音声中間周波数との間を減衰し、ＦＭ放送信号の受信時にほぼ映像中間周波数を減衰する第二のトラップ回路を設けたので、中間周波同調回路と第一及び第二のトラップ回路が簡単な構成となる。
【００３０】
また、中間周波同調回路と中間周波増幅回路とをテレビジョン信号の受信時には密結合とし、ＦＭ放送信号の受信時には粗結合としたので、中間周波数帯の同調のＱがテレビジョン信号受信時に低くなり、ＦＭ放送信号受信時に高くなる。
【００３１】
また、中間周波同調回路と中間周波増幅回路との間を結合するための第一のスイッチダイオードを設け、テレビジョン信号の受信時には第一のスイッチダイオードをオンとし、ＦＭ放送信号の受信時には第一のスイッチダイオードをオンとしたので、中間周波同調回路と中間周波増幅回路との間の結合を密結合又は粗結合に切り替えられる。
【００３２】
また、中間周波増幅回路は負帰還増幅回路で構成され、テレビジョン信号の受信時には負帰還量を大きくし、ＦＭ放送信号の受信時には前記負帰還良を少なくしたので、ＦＭ放送信号受信時には中間終蓮帯の信号レベルをテレビジョン信号受信時のそれと同等にすることができる。
【００３３】
また、中間周波増幅回路は平衡入力端と平衡出力端とを有する平衡型増幅回路で構成され、平衡入力端と平衡出力端との間にそれぞれ帰還抵抗が接続され、平衡出力端の一方に第二のトラップ回路を接続し、平衡出力端の他方を第二のスイッチダイオードと容量素子との直列回路で終端し、テレビジョン信号の受信時には第二のスイッチダイオードをオフとし、ＦＭ放送信号の受信時には第二のスイッチダイオードをオンとしたので、平衡型の中間周波増幅回路の利得を切り替えられる。
【００３４】
また、第二のトラップ回路は少なくともインダクタンス素子と複数の容量素子と容量素子の一つに並列接続された第三のスイッチダイオードとを有し、テレビジョン信号の受信時には第三のスイッチダイオードをオフとし、ＦＭ放送信号の受信時には第三のスイッチダイオードをオンとしたので、減衰すべき周波数を簡単に切り替えられる。
【図面の簡単な説明】
【図１】本発明のテレビジョンチューナの中間周波回路の構成を示す回路図である。
【図２】本発明のテレビジョンチューナの中間周波回路のテレビジョン信号受信時の等価回路図である。
【図３】本発明のテレビジョンチューナの中間周波回路の伝送特性図である。
【図４】本発明のテレビジョンチューナの中間周波回路のＦＭ放送信号受信時の等価回路図である。
【図５】従来のテレビジョンチューナの中間周波回路の構成を示す回路図である。
【図６】従来のテレビジョンチューナの中間周波回路の伝送特性図である。
【符号の説明】
１０  集積回路
１０ａ、１０ｂ  平衡出力端子
１０ｃ、１０ｄ  平衡入力端子
１０ｅ  不平衡出力端子
１０ｆ  電源端子
１０ｇ  切替端子
１０ｈ  中継端子
１１  混合器
１２  中間周波同調回路
１２ａ、１２ｂ  インダクタンス素子
１２ｃ  第一のバラクタダイオード
１３  第一のトラップ回路
１４  第二の容量素子
１５  中間周波増幅回路
１５ａ、１５ｂ  初段のトランジスタ
１５ｃ、１５ｄ  終段のトランジスタ
１５ｅ、１５ｆ  帰還抵抗
１６、１７  第一のスイッチダイオード
１８  第一の容量素子
１９  第二のスイッチダイオード
２０  第三の容量素子
２１  第二のトラップ回路
２１ａ  第四の容量素子
２１ｂ  インダクタンス素子
２１ｃ  第五の容量素子
２１ｄ  第三のスイッチダイオード
２１ｅ  第六の容量素子
２２  中間周波出力端子
２３  第一のスイッチトランジスタ
２４  第二のスイッチトランジスタ
２５、２６  プルアップ抵抗
２７〜３１  抵抗
【図１】
0003929818.tif 000002
【図２】
0003929818.tif 000003
【図３】
0003929818.tif 000004
【図４】
0003929818.tif 000005
【図５】
0003929818.tif 000006
【図６】
0003929818.tif 000007